(57)【要約】  【課題】定時に服薬される情報を利用し、薬の飲み忘れを予防するとともに、独居老人の安否を早期に発見するための方法。  【解決手段】高齢者の多くが何らかの薬を服薬し、また服薬が定時または指定時間間隔になされることを利用し、患者の携帯端末に対して服薬時刻を通知し返信の無い場合には複数の指定時刻に薬の飲み忘れの警告メッセージを送信する。飲み忘れの警告に対しても応答がない場合には事前に登録された優先順位の高い保護者から順に段階的に異常を通知することで独居老人の事故等を予防する方法を提供する。 【選択図】図１
2010141445.tif 000002
【特許請求の範囲】
【請求項１】
１以上の複数の携帯端末を含む利用者端末とインターネット等の通信網で接続されたサーバー上に患者の服薬日時情報が保存され、服薬開始の指定時刻に患者の使用する携帯端末（患者携帯端末）に対して服薬指示を送信し返信がない場合には、指定時刻に患者携帯端末に対して服薬警告メッセージを送信し、これらの指示および警告メッセージに対して返信がない場合には、登録された端末（通知端末）に対して異常を通知するコンピュータプログラム。 
【請求項２】
上記請求項１のコンピュータにおいて患者携帯端末がメッセージに対して未応答である場合に、通知端末毎に設定された優先順位にしたがい異常を通知するプログラム。 
【請求項３】
上記請求項１のコンピュータにおいて、患者端末から送られた画像が服薬指示であることを判定し、その画像をサーバーに保存し、新規情報が保存された事を管理端末に通知するプログラム。 
【請求項４】
上記請求項２において、通知端末から登録されたスケジュール情報をもとに通知端末の優先順位を変更するプログラム。 
【発明の詳細な説明】
【技術分野】
【０００１】
本発明は患者の携帯端末に服薬指示メッセージを送信することにより薬の飲み忘れを防止すると同時に、患者がメッセージに返信出来ないことを感知することにより、安否確認を行う方法に関する。
【背景技術】
【０００２】
独居老人の安否を迅速に確認するためには、決まった時刻での本人に負荷のない確認作業が要求される。
【０００３】
この目的のために、既に家庭電化製品の使用状況を利用する方法や携帯端末を利用した方法が考案されている。
安否確認について携帯端末を利用する方法では、被保護者が携帯端末を一定時間操作しないことで安否確認をするものであるが、被保護者が端末を操作する時刻を特定することは難しく、また特殊な端末が必要となる（例えば特許公開２００８−９８７４４）。電気ポットのような家庭電化製品の使用をモニターすることで安否確認する方法も同様に、電化製品を必ず使用する時刻の特定が難しく対応が遅れる可能性があり、さらに患者が外出している状況の対応が出来ない（例えば特許公開２０００−２７０３７８）。 
【０００４】
携帯端末を利用した薬の飲み忘れ防止方法も考案されているが、処方箋にバーコードを付ける等の変更や（例えば特許公開２００７−１２２１８３）、医師による処方箋情報が必要とされ（例えば特許公開２００７−２６４０８）患者本人や家族が手軽に使用出来る物ではない。              
【０００５】
【特許文献１】特開２００７−２６４０８号公報
【特許文献２】特開２００７−１２２１８３号公報
【特許文献４】特開２０００−２７０３７８号公報
【特許文献５】特開２００８−９８７４４号公報
【発明の開示】
【発明が解決しようとする課題】
【０００６】
以上に述べた安否確認する方法のうち、家電製品や携帯端末の装置の使用をモニターする方法では、使用する装置の時刻が限定できずに安否確認が遅れてしまう欠点や通知される者が対応出来ない状況が生じる欠点がある。また服薬管理の方法では、処方時刻の設定等に医師や薬剤師の助力が必要となる。本発明は専門化の助力なしに家族等が遠方にいる場合でも患者の薬の飲み忘れを防止し、同時に安否確認する方法を提供する。 
【課題を解決するための手段】
【０００７】
上記課題を解決するために、本発明は１以上の複数の携帯端末とインターネット等の通信網で接続されたサーバーで構成される。
【０００８】
サーバー上には患者の管理情報として服薬日時情報、患者携帯端末情報、異常時に通知する通知端末情報、管理端末情報、通知可否情報等が保存され、管理端末より登録・更新される。管理端末と患者携帯端末または通知端末は同一の場合も異なる場合の有りえる。 
【０００９】
サーバー上のプログラムは服薬日時情報に基づき患者携帯端末に対して服薬時刻であることを通知する。患者携帯端末から返信を受信するまで繰り返し指定間隔で指定された回数を患者携帯端末に対して服薬を促す通知を発信する。2回目以降の患者携帯端末への通知に際しては登録された保護者通知端末に対してマスター上に登録されたメッセージを送信する。 
【００１０】
異常時に誰も対応できない事を未然に防止するために指定端末の使用者があらかじめ対応不可予定日を登録することで、端末毎の通知の優先順位を変更するとともに、他の保護者通知端末に対して優先順位が変更されたことを通知する。
【００１１】
患者以外の管理者が服薬情報を登録するために、患者が携帯端末付属のカメラで撮影した服薬情報はサーバーに登録される。サーバーは受け取った情報があることを管理端末に通知することで管理者は患者と協力して管理端末で内容を確認し服薬日時情報を更新することができる。 
【発明の効果】
【００１２】
患者が指定時刻に薬を服薬していないことをモニターすることで薬の飲み忘れを防止するとともに、安否が確認できる。
【００１３】
また、安否の通知先を複数登録し、誰が対応可能であるかの情報を共有することで、安否の確実な早期確認が実行でき、サーバーに保存された服薬情報と服薬履歴を参照することで患者が服用している薬が明確になり緊急時の治療に役立てる。 
【発明を実施するための最良の形態】
【００１４】
1台のカメラ付患者携帯端末と2台以上N台の通知端末と１台の管理用端末および回線で接続されたサーバーから構成される。 
【００１５】
サーバー１１０上のマスター１１１，１１３は管理端末１２０から登録および更新される。マスターには図２のように各端末情報（患者携帯端末、通知端末のメールアドレス）、通知端末の基準優先順位と当日の優先順位が保存された端末マスター１１１と、図３の構成例のように服薬スケジュール（開始時刻、警告時刻）、通知先端末の優先番号、警告メッセージが保存される服薬マスター１１３がある。優先順位とは通知端末に対して異常時に通知する順番を規定した番号で、基準優先順位は登録時に設定され、当日優先順位は各通知端末を利用する保護者のスケジュールによりシステムが定義する。
【００１６】
服薬スケジュールは、図６の手順に従い、患者が医院や薬局から入手した服薬を指示した説明書や薬袋を患者携帯端末１００のカメラで撮影しサーバーにメールで送信する。サーバープログラムは受信した画像が服薬情報であることを判断し服薬マスターのシートテーブル３２０に展開し、この画像とともにサーバーに保存される。サーバーは新たな情報が保存されたことを家族やケアマネージャ等の管理者の端末１２０に通知し、管理者は患者と連絡しながらこの情報に基づき服薬スケジュール３１０を登録する。
【００１７】
服薬情報３１０が登録されると、サーバープログラム１１２は図４の手順に従い、服薬時刻に患者携帯端末１００に対して服薬確認を送信し、これに返信が無い場合には、警告時刻に音声やアラーム等の指定された方法で患者に対して服薬を督促すると同時に指定された優先順位の保護者通知端末１３０に対してメッセージを送信する。図２および図３のようにマスターの値が設定されている場合には、毎日９：００に患者端末に対してメッセージ「お薬の時間です」を送信し、これに返信が無い場合には、１０：００に警告としての一回目の患者メッセージ「飲み忘れてます」を患者端末に送信するとともに、優先順位１の通知端末３に対して、通知メッセージ「飲み忘れです」を送信する。さらに１１：００までに返信が無い場合には、患者端末に対して患者メッセージ「どうしましたか」を送信し、優先順位１と２の通知端末３と４に対して通知メッセージ「確認してください」を送信する。 
【００１８】
保護者はあらかじめ緊急時に対応できないことがわかっている日時を指定することでサーバー処理プログラム１１２が図５の処理手順に従い優先順位を変更される。すなわち、図２と図３において優先順位２の通知端末４が対応不可の予定を登録すると優先順位３の通知端末Nの優先順位が２に変更され、通知端末４の優先順位が３に変更される。 
【００１９】
緊急時には、患者の意識がないことが想定され、その場合にも携帯端末からサーバーの服薬情報を参照することで、患者の情報を入手することができる。 
【図面の簡単な説明】
【００２０】
【図１】全体の構成図
【図２】端末マスター構成表  設定例
【図３】服薬マスター構成表 設定例
【図４】サーバーにおける警告タイマー処理フロー図
【図５】通知端末の優先度変更処理フロー図
【図６】服薬受領通知処理フロー図
【図７】全体処理フロー図
【符号の説明】
【００２１】
１００  患者用携帯端末
１１０  サーバー
１２０  マスター管理用端末
１３０  保護者用通知端末
１１１  服薬マスター
１１２  処理プログラム
１１３  端末情報マスター
１１４  服薬・通信履歴
１４０  通信網
２１０  端末マスター  基準値設定例
２２０  端末マスター  当日優先順位変更設定例
３１０  服薬マスター  スケジュールテーブル設定例
３２０  服薬マスター  服薬シート情報テーブル設定例
【図１】
2010141445.tif 000003
【図２】
2010141445.tif 000004
【図３】
2010141445.tif 000005
【図４】
2010141445.tif 000006
【図５】
2010141445.tif 000007
【図６】
2010141445.tif 000008
【図７】
2010141445.tif 000009